(57)【要約】【課題】情報を増やすことが任意メッセージも含めて可能とし、メッセージに拡張性をもたせ、メッセージの見逃しもなくし、使用の応用範囲を拡範して、聴覚障害者のみならず、健常者にとっても使用勝手が優れたものとする情報端末装置へのメッセージ伝達方法とする。【解決手段】生活情報や警報信号等の各種情報を個々のセンサーで検知し、その情報を情報端末装置に送信し、前記情報端末装置は着信をバイブレータで装着者に通知し、メッセージをＬＣＤに表示する伝達方法において、前記した個々のセンサーはシリアル出力を持ち、その個々のセンサーで検出されるメッセージ記憶部のメッセージをシリアル伝送させることとする。【選択図】          図２
2004252626.tif 000002
【特許請求の範囲】
【請求項１】
生活情報や警報信号等の各種情報を個々のセンサーで検知し、その情報を情報端末装置に送信し、前記情報端末装置は着信をバイブレータで装着者に通知し、メッセージをＬＣＤに表示する伝達方法において、前記した個々のセンサーはシリアル出力を持ち、その個々のセンサーで検出されるメッセージ記憶部のメッセージをシリアル伝送させることを特徴とする情報端末装置へのメッセージ伝達方法。
【請求項２】
前記した情報端末装置は腕時計型としてあることを特徴とする請求項１に記載の情報端末装置へのメッセージ伝達方法。
【請求項３】
前記した情報端末装置へ送信する送信機は無線送信機とし、この無線送信機はメッセージを無線区間にだけ付加される情報に付けて送信することを特徴とする請求項１または請求項２に記載の情報端末装置へのメッセージ伝達方法。
【請求項４】
前記した無線送信機には送信したメッセージを時刻と共にその内容を記憶し、随時読み出せる表示器と操作ボタンを有することを特徴とする請求項１、請求項２または請求項３に記載の情報端末装置へのメッセージ伝達方法。
【請求項５】
前記した情報端末装置はスクロール操作キーを持ち、メッセージをスクロールしてＬＣＤの表示文字数の制限を越えて任意に表示することができることを特徴とする請求項１、請求項２、請求項３または請求項４に記載の情報端末装置へのメッセージ伝達方法。
【請求項６】
前記した情報端末装置は、着信があるとまずメッセージ毎に、そのメッセージ内容の重要性等の付加情報の文字データ属性に応じた表示を行なうことを特徴とする請求項１、請求項２、請求項３、請求項４または請求項５に記載の情報端末装置へのメッセージ伝達方法。
【請求項７】
前記した情報端末装置のバイブレータは送信機から送られてくる振動パターンに従い任意に振動することを特徴とする請求項１、請求項２、請求項３、請求項４、請求項５または請求項６に記載の情報端末装置へのメッセージ伝達方法。
【請求項８】
前記した情報端末装置は、受信したメッセージを時刻と共にその内容を記憶し、後に操作キーの操作でメッセージを確認することができることを特徴とする請求項１、請求項２、請求項３、請求項４、請求項５、請求項６または請求項７に記載の情報端末装置へのメッセージ伝達方法。
【請求項９】
生活情報や警報信号等の各種情報を個々のセンサーで検知し、その情報を腕時計型とした情報端末装置に無線送信し、前記情報端末装置は着信をバイブレータで装着者に通知し、メッセージをＬＣＤに表示する伝達方法において、前記したＬＣＤは一行にメッセージ文字を交互に表示させることを特徴とする情報端末装置へのメッセージ伝達方法。
【請求項１０】
生活情報や警報信号等の各種情報を個々のセンサーで検知し、その情報を腕時計型とした情報端末装置に無線送信し、前記情報端末装置は着信をバイブレータで装着者に通知し、メッセージをＬＣＤに表示する伝達方法において、前記した情報端末装置はブザーも内蔵し、着信があった場合、バイブレータの振動と共にブザーも鳴動することを特徴とする情報端末装置へのメッセージ伝達方法。
【請求項１１】
前記した情報端末装置にはテキスト音声の合成部を有していることを特徴とする請求項１０に記載の情報端末装置へのメッセージ伝達方法。
【請求項１２】
前記したテキスト音声の合成部はＬＣＤに表示する文字を音声で読み上げスピーカより出力することを特徴とする請求項１１に記載の情報端末装置へのメッセージ伝達方法。
【請求項１３】
前記したバイブレータの振動、ブザーの鳴動、テキスト音声の合成は単独もしくは任意の組み合せで使用されることを特徴とする請求項１０、請求項１１または請求項１２に記載の情報端末装置へのメッセージ伝達方法。
【発明の詳細な説明】
【０００１】
【発明の属する技術分野】
本発明は情報端末装置へのメッセージ伝達方法に関し、特に聴覚障害者用として開発され、各種情報をバイブレータとＬＣＤ表示で告知することとした腕時計型情報端末装置へのメッセージ伝達方法に関し、従来より対象者まで拡大して使用用途を広げることができることとする情報端末装置へのメッセージ伝達方法に関する。
【０００２】
【特許文献】
特開２０００−２０７６６１号，「シルウォッチカタログ」（株式会社東京信友），防災情報伝達システムカタログ（株式会社情報システム総合研究所）
【０００３】
【従来の技術】
上記した各種文献のものも含め、本発明が対象とする腕時計型とした情報端末装置は、主として聴覚障害者への情報伝達手段として使用されることを目的としており、その構成は図１として示すようになっていた。
【０００４】
この従来のシステムとしての動作は、例として玄関に来客があると、その来客を専用の来客センサーが検知し、その検出信号を無線送信機１−１へ送出する。無線送信機１−１はセンサーからの信号を受信すると、腕時計型として使用者に装着されている情報端末装置（受信機）１−２へ予め登録してあるコード番号を無線送信する。
【０００５】
情報端末装置１−２は無線送信機１−１からコード番号を受信すると内蔵しているバイブレータを振動させると共にコード番号に対応した表示（この場合はゲンカン）をＬＣＤに表示するという構成になっている。即ち、この従来の構成は、情報端末装置１−２にあっては、着信があるとバイブレータを振動させて、その着信があったことを知らせ、ＬＣＤには単に個々のセンサーの検出場所に対応した表示がなされるものとなっていた。
【０００６】
【発明が解決しようとする課題】
しかしながら、上記した従来の技術では、以下のような問題点があった。その一つとして、表示文字数の限界による絶対的な情報伝達不足が挙げられる。情報端末装置を腕時計型というコンパクトなものにしている制約からＬＣＤに表示できる文字数はたかだか数文字（既製品ではカナ、英数字で５文字となっている）となってしまう。表示される文字サイズを小さくすれば、あと数文字の追加も可能ではあるが、高齢化社会ということもふまえて、文字のサイズはできるだけ大きくしたいという方向に反してしまう。つまり、従来では単にＦＡＸ（ファックス）、来客（ライキャク）、警報（ケイホウ）等の検出したセンサー名の表示のみにとどまり、より多くの適格な情報の伝達ができず、不便さを強いられることとなっていた。
【０００７】
問題点の二つめとして任意メッセージの表示ができ得ないことがあり、情報の多様化に対応できずにいることである。従来は腕時計型としてコンパクト化した情報端末装置内に予め登録されている、いくつかの限定された文字表示のみとなっている。これは情報端末装置の内部スペース、消費電力の制限によって無限のデータメモリを内蔵することができないことによる。また、前記した登録文字を変更するにはＣＰＵ内に記憶されているデータの変更をしなければならず、容易には行なえない欠点があった。このことによって、聴覚障害者をはじめ、災害弱者はリアルタイムでの情報が不可欠となる防災面で、大雨や台風等の自然の異常音、付近住民による呼びかけ（火災、浸水、土砂災害等）や防災上極めて有効な防災無線放送も聞こえず、刻々と変化する種々の緊急情報がタイムリーに届かない事により避難等の対応が遅れてしまう問題が発生していた。
【０００８】
社会の情報化がすすみ、さらにユビキタス社会の到来が予測される現在にあって、情報を享受できる人とできない人との間での格差が大きな問題となっており、任意のメッセージが表示できないことは重要な課題である。
【０００９】
次の問題点として、メッセージの拡張性がないことが挙げられる。従来では、単に検出したセンサー名の表示がなされるのみで、予め登録してある以外のセンサー（ガス警報、火災警報、振動等）を接続しても情報端末装置内のメッセージ文字の書き換えをしない限り検出したセンサー名を表示することができない。このように、後から種々のセンサーを追加してもそのメッセージを有効に伝達できない問題があった。
【００１０】
また、従来の技術ではバイブレータ振動パターンが一定であるという問題もあった。従来は腕時計型とした情報端末装置内に組み込まれているＣＰＵメモリの制限からバイブレータの振動パターンは一種類固定となっている。そのために、必ずＬＣＤの表示文字を読んで確認をしないとメッセージの内容、重要度が理解できないこととなっている。情報端末装置にＬＣＤが組み込まれているので、メッセージの重要度の有無に関わらずバイブレータが振動する毎に直ちに手を休めて表示を見なければならない。このため、消費電力を極力少なくするため表示時間を短く制限していることから、手を休められない時にはメッセージを見逃す恐れもあった。
【００１１】
さらには、送信メッセージ、受信メッセージが残らないという問題点もあった。従来は前記したように消費電力を極力少なくするために表示時間を短く制限している。そのために、見逃してしまうと何のメッセージであったか解らないという問題があった。これは無線送信機側にあっても格別に送信したメッセージはメモリに記憶されていないため見逃したメッセージは確認できない。特に、課題となるのは片方向通信のため、無線送信機は情報端末装置の受信可能、不可能に関わらず一方的に送信して終了するため重要なメッセージを見逃してしまうことがあった。
【００１２】
【発明の目的】
そこで、本発明は上記した種々の問題点に着目してなされたもので、かかる問題点を解消して、情報を増やすことが任意メッセージも含めて可能とし、メッセージに拡張性をもたせ、メッセージの見逃しもなくし、使用の応用範囲を拡範して、聴覚障害者のみならず、健常者にとっても使用勝手が優れたものとする情報端末装置へのメッセージ伝達方法を提供することを目的としている。
【００１３】
【課題を解決するための手段】
この目的を達成するために、本発明に係る情報端末装置へのメッセージ伝達方法は第一に生活情報や警報信号等の各種情報を個々のセンサーで検知し、その情報を情報端末装置に送信し、前記情報端末装置は着信をバイブレータで装着者に通知し、メッセージをＬＣＤに表示する伝達方法において、前記した個々のセンサーはシリアル出力を持ち、その個々のセンサーで検出されるメッセージ記憶部のメッセージをシリアル伝送させることを特徴とし、前記した情報端末装置は腕時計型としてあることを特徴とし、前記した情報端末装置へ送信する送信機は無線送信機とし、この無線送信機はメッセージを無線区間にだけ付加される情報に付けて送信することを特徴とし、前記した無線送信機には送信したメッセージを時刻と共にその内容を記憶し、随時読み出せる表示器と操作ボタンを有することを特徴とし、前記した情報端末装置はスクロール操作キーを持ち、メッセージをスクロールしてＬＣＤの表示文字数の制限を越えて任意に表示することができることを特徴とし、前記した情報端末装置は、着信があるとまずメッセージ毎に、そのメッセージ内容の重要性等の付加情報の文字データ属性に応じた表示を行なうことを特徴とし、前記した情報端末装置のバイブレータは送信機から送られてくる振動パターンに従い任意に振動することを特徴とし、前記した情報端末装置は、受信したメッセージを時刻と共にその内容を記憶し、後に操作キーの操作でメッセージを確認することができることを特徴としている。
【００１４】
次に、本発明に係る情報端末装置へのメッセージ伝達方法は生活情報や警報信号等の各種情報を個々のセンサーで検知し、その情報を腕時計型とした情報端末装置に無線送信し、前記情報端末装置は着信をバイブレータで装着者に通知し、メッセージをＬＣＤに表示する伝達方法において、前記したＬＣＤは一行にメッセージ文字を交互に表示させることを特徴としている。
【００１５】
さらに、本発明に係る情報端末装置へのメッセージ伝達方法は生活情報や警報信号等の各種情報を個々のセンサーで検知し、その情報を腕時計型とした情報端末装置に無線送信し、前記情報端末装置は着信をバイブレータで装着者に通知し、メッセージをＬＣＤに表示する伝達方法において、前記した情報端末装置はブザーも内蔵し、着信があった場合、バイブレータの振動と共にブザーも鳴動することを特徴とし、前記した情報端末装置にはテキスト音声の合成部を有していることを特徴とし、前記したテキスト音声の合成部はＬＣＤに表示する文字を音声で読み上げスピーカより出力することを特徴とし、前記したバイブレータの振動、ブザーの鳴動、テキスト音声の合成は単独もしくは任意の組み合せで使用されることを特徴としている。
【００１６】
【作用】
上記した構成としたことによって、本発明に係る情報端末装置へのメッセージ伝達方法はメッセージとして表示する情報量が増大し、適格な伝達ができ、メッセージ内容が記憶されることで一時的に見逃しがあっても後に確認が可能となる。加えて、ブザーや音声を加えることで聴覚障害者のみならず健常者を対象としても使用範囲、用途は拡大され、日常生活に限らず、多様な業種にあっての通信手段としても実効性があるものとなり、使用勝手も非常に良好なものとなるのである。
【００１７】
【発明の実施の形態】
次に、本発明の好ましい実施の形態を図２乃至図１０を参照して説明する。なお、従来例を示す図１と共通する部分には共通の符号を付す。図２は本発明の実施例１を示す全体構成図、図３は同じくシリアル出力センサーの構成図、図４は同じく無線送信機の構成図、図５は同じく腕時計型とした情報端末装置の構成図、図６は同じく正面イメージ図、図７は同じく無線区間のフレームフォーマットの例を示す図、図８は同じく実施例２の腕時計型とした情報端末装置の正面イメージ図、図９は同じくＮｏ．１の無線送信機がＯＮした場合の例を示す図、図１０は同じく実施例３の腕時計型とした情報端末装置の構成図である。
【００１８】
まず、図２乃至図６として示す実施例１を説明すると、この全体構成には無線送信機１−１と腕時計型とした情報端末装置１−２のほかに、来客や警報等を検知する各種センサー２−１、シリアル通信機器２−２、シリアル出力センサー２−３が含まれ、特に図示しないが電波の不感地帯対応のために、中間に無線中継器が入る場合もある。
【００１９】
前記したシリアル出力センサー２−３には各種センサー２−１からの入力信号が入る入力検出回路２−４が備えられている。この入力検出回路２−４に接続された入力信号は信号判定部２−５を通ってメッセージ送出部２−６へ接続される。このメッセージ送出部２−６にはＩＤ記億部２−８及びメッセージ記憶部２−９も接続されており、これらの信号はシリアル出力部２−９よりシリアルデータとして出力される。
【００２０】
この実施例１における無線送信機１−１にあって、各センサー機器からの信号はその信号の種類に応じてセンサー入力部２−１３、シリアル通信機器入力部２−１４、シリアル出力センサー入力部２−１９に接続され、各々送信処理制御部２−１５へ接続される。この送信処理制御部２−１５には操作用のコールボタン２−２０、メッセージ再生ボタン２−２１、メッセージが表示されるメッセージ表示部２−１０、送信ＩＤ記億部２−１６、送信メッセージ記憶部２−１７及び時計部２−１８が接続されている。送信処理制御部２−１５の出力として無線送信部２−１１を経由し、送信アンテナ２−１２へ接続される。
【００２１】
また、実施例１の情報端末装置１−２は前記した送信アンテナ２−１２からの送信信号を受ける受信アンテナ２−２３を備え、その受信アンテナ２−２３は無線受信部２−２２に接続され、その出力は受信処理部２−２５に接続される。この受信処理部２−２５にはアップ、ダウン、スクロールが可能な操作キー２−２４、表示用のメッセージ表示部２−１０、着信があったことを装着者に知らせるバイブレータ２−２６、受信ＩＤ記億部２−２７、受信メッセージ記憶部２−２８及び時計部２−１８が接続される。
【００２２】
腕時計型とした情報端末装置１−２には前記したメッセージ表示部２−１０で機能するＬＣＤ表示部２−２９及び操作キー２−２４が外観に表出され、その他に時刻設定やアラーム設定等のためのボタンが配置されている。バイブレータ２−２６は装置内に実装されている。
【００２３】
ここで、上記構成とした実施例１の動作を説明する。この実施例１は主として聴覚障害者が日常生活を行なうためのもので、生活情報や警報信号等の情報を各センサーが検知すると、それをバイブレータ２−２６の振動及びＬＣＤ表示部２−２９における文字表示によって随時通知する。即ち、来客や警報を各種センサー２−１、２−２、２−３が検知すると、その検知を無線送信機１−１へ検知したセンサーのＩＤ番号と文字メッセージを送出する。
【００２４】
無線送信機１−１はセンサーからのシリアル信号を受信したデータ内容を確認してＯＫであれば、その内容を送信アンテナ２−１２から送信し、同時にその内容をメッセージ記憶部２−１７で記憶する。情報端末装置１−２は無線送信機１−１からの信号を受信アンテナ２−２３で受信し、バイブレータ２−２６を振動させると共にメッセージを受信メッセージ記憶部２−２８で記憶し、ＬＣＤ表示部２−２９にメッセージを表示する。
【００２５】
シリアル出力センサー２−３はセンサーに応じた検出回路が構成されている。例えば、センサーとして火災報知器の報知音信号検出（マイク）が接続されているとすると、火災報知器からの信号によってシリアル出力センサー２−３はＯＮとなって無線送信機１−１にシリアル出力センサー２−３に付与されたＩＤと予め記憶されている文字メッセージがシリアル出力で接続される。
【００２６】
この場合、文字メッセージの例として「Ｎｏ．１カサイハッセイ（火災発生）」とすると、センサーが火災報知器の報知音を検出して無線送信機１−１へこのメッセージを送出する。送出するメッセージの内容は図７として示している無線区間のフレームフォーマット例において、プリアンブルとシンクコードを除いた部分となる。
【００２７】
無線送信機１−１は、各種センサーからの信号がその信号の種類に応じてセンサー入力部２−１３、シリアル通信機器入力部２−１４、シリアル出力センサー入力部２−１９に入力され、送信処理制御部２−１５へ接続される。コールボタン２−２０は呼び出し用のボタンで、それも送信処理制御部２−１５へ接続される。
【００２８】
送信処理制御部２−１５はセンサー入力部２−１３、シリアル通信機器入力部２−１４、シリアル出力センサー入力部２−１９、コールボタン２−２０からの入力信号があると、その内容を確認して、図７に示す無線区間のフレームフォーマット例に従って送信データを構成し、無線送信部２−１１へ送出する。
【００２９】
無線送信部２−１１は送信アンテナ２−１２に接続されており、そこから送信データを無線で送信する。また、同時に各センサーからの入力信号は時計部２−１８からの時刻データとともに送信メッセージ記憶部２−１７に記憶される。操作用のコールボタン２−２０の操作により、必要な情報を選択し、メッセージ表示部２−１０に入力された時刻と共に表示される。
【００３０】
腕時計型の情報端末装置１−２では無線送信機１−１からの信号は受信アンテナ２−２３で受信され、無線受信部２−２２に接続され、その出力は受信処理部２−２５に接続される。受信処理部２−２５では無線受信部２−２２で復調されたデータを解析し、ＩＤが予め受信ＩＤ記億部２−２７に記憶されているＩＤと一致すると、着信があったと認識をすることとなる。
【００３１】
着信があったと認識されると、そのことを通知するバイブレータ２−２６を無線送信機１−１から指定された振動パターンで振動させ、まず、文字データ属性に従ったタイトルをメッセージ表示部２−１０（２−２９）に表示させる。操作キー２−２４の操作によってメッセージ内容がスクロールされ、メッセージ表示部２−１０（２−２９）に表示される。同時に着信したメッセージは時計部２−１８からの時刻データと共に受信メッセージ記憶部２−２８に記憶される。操作キー２−２４の操作によって随時必要な情報を選択し、入力された時刻と共にメッセージ表示部２−１０（２−２９）に表示される。
【００３２】
また、ＬＣＤ表示部２−２９は複数の段に分割され、図６では上段に時刻表示、下段にメッセージが表示されるようにしてある。操作キー２４にはメッセージ内容をスクロール表示する左右方向を向いた矢印キーと、表示可能文字毎にステップさせる上下方向を向いたキーとがあり、これらのキーは複数記憶されているメッセージを呼び出し選択するためにも使用される。ここで、スクロール表示は、メッセージ内容を表示可能文字数が５つとすれば１文字づつ送る表示をいい、ステップスクロールは５文字づつを一時に表示変更していく操作をいう。
【００３３】
情報端末装置１−２内に実装され、着信を装着者に通知するバイブレータ２−２６は無線送信機１−１からの信号によって任意の振動パターン発生をする。この振動パターンは基本時間、パターン長とＯＮ／ＯＦＦ時間長から指定する。個々の指定方法例を表１に示す。
【００３４】
【表１】
2004252626.tif 000003
ここで、基本時間Ｔはバイブレータ２−２６を振動させる時間のベースとなるものであり、基本時間０．０秒はバイブレータ２−２６を振動させないことを意味する（表示テスト等）。ＯＮ／ＯＦＦ時間Ｔ×０はその部分を振動させないことを示し、例えば４回目のバイブレータ２−２６を振動させない場合は０指定とする。
【００３５】
また、基本時間指定と、ＯＮ／ＯＦＦ時間指定の組み合せで振動パターンを表わすことができる。ここで、３つの振動パターンの例につき、その指定方法を表２として示す。（尚、ビット配分については図７として示す無線区間のフレームフォーマット例を参照。）
【００３６】
【表２】
2004252626.tif 000004
【００３７】
次に、図８、図９により示す実施例２はＬＣＤ表示部２−２９の表示方式を変更したものであり、ＬＣＤ表示部２−２９を１行とし、操作キー２−２４をなくした構成としてある。この実施例２にあっては、例えば無線送信機１−１が２台あり、このうちセンサーＮｏ．１がＯＮとなってＮｏ．１側のメッセージを無線送信する場合、情報端末装置１−２は「Ｎｏ．１キンキュウ」というメッセージを受信すると、バイブレータ２−２６を振動させると共にＬＣＤ表示部２−２９に「Ｎｏ．１」と「キンキュウ」の文字を交互に表示することとなっている。
【００３８】
さらに、図１０として示す実施例３は音声系出力を追加したものであり、具体的にはブザー４−１、スピーカ４−２、テキスト音声合成部４−３が追加してある。この音声系出力の追加は前記した実施例２の構成に追加してもよく、ブザー４−１とスピーカ４−２及びテキスト音声合成部４−３とは同時に必要はなく、ブザー４−１のみの単独またはスピーカ４−２及びテキスト音声合成部４−３の単独でもよい。
【００３９】
この実施例３では着信があるとバイブレータ２−２６と同様のパターンでブザー４−１が鳴動する。このバイブレータ２−２６とブザー４−１は同時に動作させても、各々個別に動作させてもよい。テキスト音声合成部４−３では送られてきたテキスト文字のメッセージを音声に変換してスピーカ４−２より出力するものである。
【００４０】
本実施の形態は上記のように構成されている。この構成によって聴覚障害者に限らず、騒音場所での着信情報伝達、両手を使う作業者への情報伝達、病院等で衛生面から手で機器を握ることができない業務、呼び出し音を発生させてはならない場所での情報伝達等にそのまま適用でき、健常者用として一般業務にも使用できる。このために、防災、防犯、工事作業現場、病院、バリアフリー関連、レジャー産業をはじめ一般企業向け等としても幅広く利用される。
【００４１】
【発明の効果】
本発明に係る情報端末装置へのメッセージ伝達方法は上記のように構成され動作する。まず、第一の発明にあっては個々のセンサーがシリアル出力を持ち、メッセージ記憶部のメッセージをシリアル伝送させるために、腕時計型とした情報端末装置はすべてのメッセージ内容を予め記憶する必要がなく、そのままこの情報を表示させれば済むので、小型化、低消費電力化ができる。また、検出するセンサーが新たに追加されても、そのセンサーの情報はセンサー側にメッセージ情報として記憶されているので、単にセンサーを追加するだけで済み、検出センサーの追加、削除が容易に行なわれ、システム変更に柔軟に対応できる。即ち、新規のセンサーが開発された時にも何らの変更なく使用できる。
【００４２】
情報端末装置を腕時計型としてあることによって、装着したまま外出し、種々のサービスを提供している場所へ行っても、情報端末装置に何の変更をする必要もなく、そのままサービスのメッセージを受け、表示することができる。また、シリアル出力としてあるので、センサーと無線送信機との間に、有線、無線の伝送路を介して遠隔接続が容易に可能となる。即ち、遠隔地における情報を手元の情報端末装置で確実に確認することができる。このことは、センサーからの情報に限らず、一般情報も伝送し、情報端末装置に表示することができるので、一般の連絡、通報にもそのまま利用することができる。つまり、任意のメッセージが表示できることとなり、情報の多様化に対応できる。
【００４３】
また、無線送信機は、送信したメッセージを時刻と共にその内容を記憶し随時読み出すことができるので、情報端末装置で受信できなかったメッセージを確認することができる。無線送信機は片方向通信であるので、情報端末装置の受信可能、不可能に関わらず一方的に送信しているので、送信データがあったか否かの確認ができることとなる。
【００４４】
腕時計型とした情報端末装置はスクロール操作キーを有しており、メッセージの文字表示をスクロールして見ることができるので、ＬＣＤの表示文字数の制限を越えて任意に表示することができる。ＬＣＤに文字表示させるにはＬＣＤドライバによりなされるが、文字数が少ないほどＬＣＤドライバを小型化でき、低消費、コストの低減を図れる。これによってメッセージ情報伝達能力が飛躍的に向上して情報の多様化に対応できる。
【００４５】
情報端末装置は、メッセージの着信があると、まず文字データ属性に応じた表示を行なうので、長いメッセージの場合、一々スクロールして内容を読まなくとも、緊急、重要なメッセージであるか否かを一目で判別できる。つまり、メッセージ毎に、そのメッセージの重要性等の情報が付加されてくるので、これに応じた表示、例えば「キンキュウ（緊急）」「シキュウ（至急）」「レンラク（連絡）」等の表示がまずなされるので、手が離せない場合等には内容によって後で見ることもできる。
【００４６】
情報端末装置内に実装されているバイブレータの振動パターンを任意に変えられるので、上記した文字データ属性とあわせて振動をさせることができる。つまり、バイブレータの振動パターンによって着信データの重要性等の判断ができるので、手が離せない場合等には、後でメッセージを見て確認することができる。
【００４７】
情報端末装置は受信したメッセージを時刻と共にその内容を記憶し、随時読み出せるので、手が離せない場合、後でメッセージを見て確認することができる。
【００４８】
次に、本願の第２の発明によると、ＬＣＤ表示部の１行にメッセージ文字を交互に表示させるので、単純な１行表示をさせるのに比べより多くの情報を伝達することができる。つまり、交互表示によってＬＣＤはそのままで情報量を２倍以上とすることができる。ＬＣＤの表示は１行のみでよいので低コスト、低消費電力がはかれる。また、複雑な操作ボタンが不要となり、１行の文字表示であるために表示面積を多くとることができ、表示文字を大きくすることができ、高齢化社会への対応もできることとなる。
【００４９】
そして、本願の第３の発明によると、ブザーの鳴動によって着信が知らされるので、ナースコール等として健常者への適用も可能となる。また、バイブレータの振動パターンと同様にブザーの鳴動パターンを変えることでメッセージの内容を識別することが可能となる。
【００５０】
また、メッセージの内容を音声で通知するので、視覚障害者への対応も可能となる。加えて、バイブレータが内蔵されていることで、健常者、視覚障害者への音声呼び出しが、騒音時でも確実に着信を認識することができる。
【図面の簡単な説明】
【図１】従来例を示す構成図である。
【図２】本発明の実施例１を示す全体構成図である。
【図３】シリアル出力センサーの構成図である。
【図４】無線送信機の構成図である。
【図５】腕時計型とした情報端末装置の構成図である。
【図６】正面イメージ図である。
【図７】無線区間のフレームフォーマットの例を示す図である。
【図８】実施例２の腕時計型とした情報端末装置の正面イメージ図である。
【図９】Ｎｏ．１の無線送信機がＯＮした場合の例を示す図である。
【図１０】実施例３の腕時計型とした情報端末装置の構成図である。
【符号の説明】
１−１  無線送信機
１−２  腕時計型とした情報端末装置
２−１  センサー
２−２  シリアル通信機器
２−３  シリアル出力センサー
２−４  入力検出回路
２−５  信号判定部
２−６  メッセージ送出部
２−７  シリアル出力部
２−８  ＩＤ記億部
２−９  メッセージ記憶部
２−１０  メッセージ表示部
２−１１  無線送信部
２−１２  送信アンテナ
２−１３  センサー入力部
２−１４  シリアル通信機器入力部
２−１５  送信処理制御部
２−１６  送信ＩＤ記憶部
２−１７  送信メッセージ記憶部
２−１８  時計部
２−１９  シリアル出力センサー入力部
２−２０  コールボタン
２−２１  メッセージ再生ボタン
２−２２  無線受信部
２−２３  受信アンテナ
２−２４  操作キー
２−２５  受信処理制御部
２−２６  バイブレータ
２−２７  受信ＩＤ記億部
２−２８  受信メッセージ記憶部
２−２９  ＬＣＤ表示部
３−１  ＬＣＤ表示部（１行）
４−１  ブザー
４−２  スピーカ
４−３  テキスト音声合成部
【図１】
2004252626.tif 000005
【図２】
2004252626.tif 000006
【図３】
2004252626.tif 000007
【図４】
2004252626.tif 000008
【図５】
2004252626.tif 000009
【図６】
2004252626.tif 000010
【図７】
2004252626.tif 000011
【図８】
2004252626.tif 000012
【図９】
2004252626.tif 000013
【図１０】
2004252626.tif 000014